(57)【特許請求の範囲】
【請求項１】
炊飯器本体と、
前記炊飯器本体内に着脱可能に収容される内釜と、
前記炊飯器本体の上部開口部を覆う蓋体と、
前記内釜を加熱する加熱手段と、
前記蓋体に設けられ、炊飯中に前記内釜内で発生した蒸気を前記炊飯器本体の外部に排出する蒸気口ユニットとを有し、
前記蒸気口ユニットは、
前記内釜内で発生した蒸気を蒸気口ユニット内部に導く導入孔と、
前記蒸気口ユニット内のおねばを前記内釜内に戻すおねば戻し穴と、
前記内釜内の圧力に依存して前記おねば戻し穴を開閉させる開閉弁と、を備え、
前記開閉弁の平面視における外径よりも小さい直径の第１小孔を有し、前記開閉弁及び前記導入孔を前記内釜側から覆うフィルターを設け、
前記導入孔及び前記おねば戻し穴が設けられた一面と前記フィルターとの間に形成される空間を、前記導入孔側と前記おねば戻し穴側とに仕切る仕切部を設け、
前記第１小孔よりも直径が小さい第２小孔を、前記導入孔の下側に設けた
ことを特徴とする炊飯器。
【請求項２】
前記仕切部は、前記導入孔及び前記おねば戻し穴が設けられた一面から下方に向かって突出する縦リブであり、
前記仕切部の下端部と前記フィルターとの隙間を、前記第２小孔の直径よりも小さくした
ことを特徴とする請求項１記載の炊飯器。
【請求項３】
前記仕切部は、前記フィルターの上面から上方に向かって突出する縦リブであり、
前記仕切部の上端部と前記導入孔及び前記おねば戻し穴が設けられた一面との隙間を、前記第２小孔の直径よりも小さくした
ことを特徴とする請求項１記載の炊飯器。
【請求項４】
前記蓋体の下面に着脱可能に装着されて前記内釜の上部開口部を覆う内蓋を備え、
前記内蓋と前記蓋体との間に、前記導入孔から流入したおねばを含む蒸気を流す流路を設けた
ことを特徴とする請求項１〜請求項３のいずれか一項に記載の炊飯器。
【請求項５】
前記おねば戻し穴が設けられた一面は、前記内蓋の一部を構成している
ことを特徴とする請求項４記載の炊飯器。
【請求項６】
前記フィルターを着脱自在に設けたことを特徴とする請求項１〜請求項５のいずれか一項に記載の炊飯器。
【請求項７】
前記第１小孔を、前記フィルターの平面視における上下方向及び左右方向に対して線対称に設けた
ことを特徴とする請求項１〜請求項６のいずれか一項に記載の炊飯器。
【請求項８】
前記第１小孔の上面側周縁部を面取りしたことを特徴とする請求項１〜請求項７のいずれか一項に記載の炊飯器。
【請求項９】
前記フィルターの底部を傾斜面としたことを特徴とする請求項１〜請求項８のいずれか一項に記載の炊飯器。
【発明の詳細な説明】
【技術分野】
【０００１】
本発明は炊飯器に係り、より詳しくは、加熱により生じた蒸気に含まれるおねばを内釜に戻す穴に開閉弁を設けた炊飯器に関する。
【背景技術】
【０００２】
従来の炊飯器として、「蒸気口ユニット１０内と内蓋５の蒸気孔５ｂを介して内釜６と連通する複数のおねば戻し穴１９が設けられており、このおねば戻し穴１９は開口部１８に上下動可能に設けられた開閉弁２０により開閉される。」というものが提案されている。この炊飯器は、内釜の内圧が上昇しているときには開閉弁が押し上げられておねば戻し穴を塞ぎ、内釜の内圧が低下すると開閉弁が下降しておねば戻し穴を開口させておねば戻し穴から内釜内におねばを戻す。このように、おねばを内釜内のご飯に戻すことにより、つやや粘りのあるご飯を炊くことができるようになっている。（例えば、特許文献１参照）。
【先行技術文献】
【特許文献】
【０００３】
【特許文献１】特許第３８２０５４１号公報（第４頁、図３）
【発明の概要】
【発明が解決しようとする課題】
【０００４】
上記のように開閉弁は炊飯する上で重要な部品である。しかし、この開閉弁は、炊飯器の蓋を開けたときに露出する部位に取り付けられている。このため、清掃時等に開閉弁にユーザの手が触れて開閉弁が脱落するおそれがあった。また、開閉弁は小さな部品であるため、ユーザが気付かないうちに脱落すると紛失してしまうおそれもあった。そして、開閉弁が取り付けられていないと、上述したような開閉弁の機能が発揮されず、炊飯の品質が低下しうる。
【０００５】
本発明は、上記のような課題を解決するためになされたもので、おねば戻し穴に設けた開閉弁が意図しないときに脱落するのを抑制することのできる炊飯器を提供するものである。
【課題を解決するための手段】
【０００６】
本発明に係る炊飯器は、炊飯器本体と、前記炊飯器本体内に着脱可能に収容される内釜と、前記炊飯器本体の上部開口部を覆う蓋体と、前記内釜を加熱する加熱手段と、前記蓋体に設けられ、炊飯中に前記内釜内で発生した蒸気を前記炊飯器本体の外部に排出する蒸気口ユニットとを有し、前記蒸気口ユニットは、前記内釜内で発生した蒸気を蒸気口ユニット内部に導く導入孔と、前記蒸気口ユニット内のおねばを前記内釜内に戻すおねば戻し穴と、前記内釜内の圧力に依存して前記おねば戻し穴を開閉させる開閉弁と、を備え、前記開閉弁の平面視における外径よりも小さい直径の第１小孔を有し、前記開閉弁及び前記導入孔を前記内釜側から覆うフィルターを設け、前記導入孔及び前記おねば戻し穴が設けられた一面と前記フィルターとの間に形成される空間を、前記導入孔側と前記おねば戻し穴側とに仕切る仕切部を設け、前記第１小孔よりも直径が小さい第２小孔を、前記導入孔の下側に設けたものである。
【発明の効果】
【０００７】
本発明に係る炊飯器は、開閉弁の平面視における外径よりも小さい第１小孔を有し、開閉弁を内釜側から覆うフィルターを設けたので、開閉弁が露出せず、意図しないときに開閉弁が脱落するのを抑制できる。
【図面の簡単な説明】
【０００８】
【図１】実施の形態１に係る炊飯器の縦断面図である。
【図２】実施の形態１に係る蒸気口ユニットの主要部を示す縦断面図である。
【図３】実施の形態１に係る蒸気口ユニットの主要部の断面斜視図である。
【図４】実施の形態１に係る開閉弁近傍を下から見た図である。
【図５】実施の形態１に係るフィルターの平面図である。
【図６】実施の形態１に係る仕切板を説明する断面模式図である。
【図７】実施の形態１に係る開閉弁とフィルターとの位置関係を説明する図である。
【図８】実施の形態２に係る小孔の断面模式図である。
【図９】実施の形態３に係るフィルターを説明する縦断面図である。
【発明を実施するための形態】
【０００９】
実施の形態１．
図１は、実施の形態１に係る炊飯器の縦断面図である。図２は、図１の蒸気口ユニットの主要部を示す縦断面図、図３は、同じく図１の蒸気口ユニットの主要部を示す断面斜視図である。また、図４は、実施の形態１に係る開閉弁近傍を下から見た図、図５は、実施の形態１に係るフィルターの平面図である。
図１において、炊飯器本体１は上部に開口部を有し、この開口部は蓋体１０により開閉されるようになっている。そして、蓋体１０の下面には内蓋本体１１が着脱可能に装着されている。内蓋本体１１の周縁部には、蓋体１０を閉じたときに内釜２（後述）の上面と蓋体１０との間から蒸気が外部に漏れないように、内釜２の開口部をシールする環状の固定枠（シールゴム）１２が設けられている。
【００１０】
炊飯器本体１には水、米などが入れられる有底筒状で上面が開口した内釜２が着脱可能に収容されており、電磁誘導コイルの如き加熱手段３により加熱して炊飯するようになっている。そして、炊飯器の蓋体１０を閉じたときに、内蓋本体１１の周縁部の固定枠１２が内釜２の上端部外周に設けたフランジ２ａに密接するようになっている。なお、本実施の形態１では、内蓋本体１１と後述する導入孔形成部１３とによって、本発明の内蓋を構成している。
【００１１】
蓋体１０と内蓋本体１１との間には、内釜２内で発生した蒸気を内釜２の内部から炊飯器本体１の外部に排出するとともに、蒸気に含まれるおねばの一部を内釜２内に戻すための蒸気口ユニット２０が設けられている。
【００１２】
図１〜図４に示すように、蒸気口ユニット２０は、内釜２内で発生した蒸気を蒸気口ユニット２０内部へと導入させるほぼ円筒状の案内筒２２を有する。この案内筒２２の下端には蒸気を導入させるための導入孔２２ａが開口しており、上端には案内筒２２から蒸気を排出する排出孔２２ｂが開口している。排出孔２２ｂの下流側には、例えばほぼ円筒状のケースからなるおねばを含む蒸気が通過する流路２３が設けられている。なお、本実施の形態１では、製品高さを抑えるために流路２３の蒸気が流れる方向をほぼ水平にしているが、流路２３の蒸気が流れる方向を製品（地面）に対して垂直になるようにしてもよい。
【００１３】
流路２３の出口側（下流側）のほぼ中心部には、蒸気排出口２４が設けられており、流路２３の下流側の下部外周側にはおねば排出口２５が設けられている（図１参照）。蒸気排出口２４の下流側には、蒸気を炊飯器本体１の外部に排出するための出口である外部排出口２７と蒸気排出口２４とを結ぶほぼ筒状の蒸気排出筒２４ａが設けられている。
【００１４】
案内筒２２の下部周囲には、流路２３の底面よりも低くなるよう形成された溜まり凹部２１が設けられている。なお、流路２３の底面は、溜まり凹部２１におねばが溜まりやすいように、溜まり凹部２１に向かって下降する傾斜面となっている。溜まり凹部２１の底面には、溜まり凹部２１内と内釜２内とを連通させるおねば戻し穴２８が設けられている。おねば戻し穴２８は、平面視ほぼ円形の開口部２８ａと、この開口部２８ａの外周縁の一部を切り欠いて構成された切欠部２８ｂとを有している。切欠部２８ｂの内径は、開口部２８ａの外径よりも大きい。おねば戻し穴２８には、上下動可能に設けられた開閉弁２９が取り付けられている。
【００１５】
開閉弁２９は、頭部２９ａ、柱部２９ｂ、及び基板２９ｃからなる。頭部２９ａの外径は、おねば戻し穴２８の開口部２８ａの内径より大きいが、切欠部２８ｂの外径より小さい。柱部２９ｂの外径はおねば戻し穴２８の開口部２８ａの内径より小さく、かつ、柱部２９ｂの高さは溜まり凹部２１の底部の厚みより長く形成されている。また、基板２９ｃの外径はおねば戻し穴２８の切欠部２８ｂの外径より大きい。
このため、内釜２内の内圧が低いときには開閉弁２９は下降して、頭部２９ａがおねば戻し穴２８の開口部２８ａの上面部周縁側に係止して、開閉弁２９が脱落するのを防ぐとともに、おねば戻し穴２８の切欠部２８ｂを開口状態に保持する。また、炊飯中、すなわち内釜２の内圧が高いときにはこの内圧により開閉弁２９は上昇し、基板２９ｃの上面がおねば戻し穴２８の下面周縁に当接し、おねば戻し穴２８の開口部２８ａ及び切欠部２８ｂを塞ぐ。なお、開閉弁２９は、耐熱性を有し、経年変化しにくい例えばシリコンゴムの如き材料からなる。そして、開閉弁２９は、その弾性力により変形させつつ頭部２９ａ側から開口部２８ａに嵌入可能である。
【００１６】
本実施の形態１では、導入孔２２ａ及びおねば戻し穴２８は、内蓋の一部を構成する導入孔形成部１３に設けられている。そして、導入孔形成部１３は内蓋本体１１に着脱可能に装着されている。なお、内蓋本体１１と導入孔形成部１３とを別体として構成したのは、導入孔形成部１３を取り外すことで蒸気口ユニット２０の清掃を容易にするためであるが、導入孔形成部１３を設けず、内蓋本体１１に導入孔２２ａ及びおねば戻し穴２８を設けてもよい。
【００１７】
図２、図３、図５に示すように、フィルター３０は、開閉弁２９を、下側（すなわち内釜２側）から覆う部材である。本実施の形態１では、底部３０ａと周壁３０ｂとにより、平面視ほぼ円形の皿状に形成されている。また、本実施の形態１では、フィルター３０は導入孔２２ａをも覆う大きさで形成されている。このフィルター３０は、導入孔形成部１３の外周の外側と螺合させることにより内蓋に固定される。
【００１８】
フィルター３０の底部３０ａには、複数の小孔３１が設けられている。小孔３１は、開閉弁２９の平面視における外径（すなわち基板２９ｃの平面視における外径）よりも小さい直径を有する複数の第１小孔３１ａと、第１小孔３１ａよりも直径が小さい複数の第２小孔３１ｂとにより構成されている。例えば、開閉弁２９の平面視における直径が１５〜２０ｍｍ程度であるとすると、小孔３１は２〜１５ｍｍ程度の範囲とすることができる。第１小孔３１ａは、後述するようにおねばを内釜２内へ戻すための穴であるので、開閉弁２９の直径より小さくしつつも、おねばの流れを確保できるようになるべく大きくするとよい。第２小孔３１ｂは、導入孔２２ａへ蒸気を侵入させるための穴であるので、なるべく小さくすることで米粒等が導入孔２２ａに侵入するのを抑制できる。なお、本実施の形態１では、図５に示すように第１小孔３１ａは、直径の異なる複数種類の小孔により構成されているが、これらは同じ直径としてもよい。
【００１９】
また、第１小孔３１ａと第２小孔３１ｂは、フィルター３０の平面視において上下方向及び左右方向に対して線対称の位置に設けられている。
【００２０】
フィルター３０の周壁３０ｂには、外側に向かって突出する突起部３２が平面視で左右対称に２つ設けられている。突起部３２は、フィルター３０を内蓋から着脱する際の手掛かりとするためのものである。フィルター３０を着脱する際には、この突起部３２に手を掛けて周方向に回転させることで、導入孔形成部１３と螺合させあるいは螺合を解除できる。また、底部３０ａの下面には、フィルター３０を取り付ける際に位置合わせするための位置決めマーク３３が平面視で上下対称に２つ設けられている。いずれかの位置決めマーク３３を、導入孔形成部１３に設けられた位置決めマーク１４に合わせるようにして、フィルター３０を取り付ける。
【００２１】
図４に示すように、導入孔形成部１３の下面には、下方に向かって突出する縦リブにより構成され、導入孔２２ａ側とおねば戻し穴２８側とに仕切る仕切板２６が設けられている。仕切板２６は、導入孔２２ａ側よりもおねば戻し穴２８側の空間の方が面積が広くなるように仕切っている。図６は、仕切板２６を説明する断面模式図である。図６に示すように、仕切板２６の下端部と、フィルター３０の底部３０ａの上面との隙間Ｓは、第２小孔３１ｂの直径より小さくなるよう構成されている。なお、フィルター３０の上面に、上方に向かって突出する縦リブにより構成される仕切板を設けてもよい。この場合も、仕切板の上端部と、導入孔形成部１３の下面との隙間Ｓは、第２小孔３１ｂの直径よりも小さくなるよう構成する。なお、図６では、説明のため、隙間Ｓの大きさを誇張して描いている。
【００２２】
図７は、実施の形態１に係る開閉弁２９とフィルター３０との位置関係を説明する図であり、フィルター３０を取り付けたときの、第１小孔３１ａ、第２小孔３１ｂ、導入孔２２ａ、及び開閉弁２９の位置を示している。フィルター３０は、導入孔２２ａの下に直径の小さい小孔である第２小孔３１ｂが位置するようにして導入孔２２ａ及び開閉弁２９を下側から覆うように取り付けられる。開閉弁２９の下側には、第１小孔３１ａの一部及び第２小孔３１ｂが位置する。
【００２３】
次に、蒸気口ユニット２０を備えた炊飯器の動作を説明する。水と米を入れた内釜２を炊飯器本体１内に収容して蓋体１０を閉じ、操作部（図示せず）に設けた電源スイッチをＯＮすると、加熱手段３の作用によって内釜２が加熱される。内釜２内の水が沸騰すると、おねばを含んだ蒸気が発生する。このとき、内釜２の内圧が上昇しているため、蒸気口ユニット２０の開閉弁２９は、押し上げられておねば戻し穴２８を閉塞している。このため、おねばを含む蒸気は、フィルター３０に設けられた第２小孔３１ｂ、導入孔２２ａを経由して案内筒２２内に入り、流路２３内に導かれる。
【００２４】
案内筒２２を出たおねばを含む蒸気は、流路２３内を進むとき、空冷されあるいは流路２３の周壁に衝突して凝縮し、水滴として溜まり凹部２１に溜まる。また、蒸気に含まれるおねばも、流路２３内を蒸気が流れる過程で蒸気から分離され、溜まり凹部２１に溜まる。流路２３内を流れた蒸気は、蒸気排出口２４を通って蒸気排出筒２４ａに入り、外部排出口２７から炊飯器本体１の外部へ排出される。なお、蒸気排出筒２４ａ内を通過する過程において、蒸気が凝縮されて生じた水滴及び蒸気から分離されたおねばは、おねば排出口２５を通って溜まり凹部２１に溜まる。なお、蒸気排出筒２４ａの底面は、水滴及びおねばがおねば排出口２５を通過しやすいように、おねば排出口２５に向かって下降する傾斜面となっている。
【００２５】
加熱が停止して内釜２の内圧が低下すると、開閉弁２９は、自重及びおねばや水滴の重量によって下降し、溜まり凹部２１の底面に設けられたおねば戻し穴２８の切欠部２８ｂが開口する。これにより、溜まり凹部２１内に溜まったおねばは、おねば戻し穴２８から落下し、さらに、開閉弁２９の下方に設けられた小孔３１から内釜２内に落下する。おねばが内釜２内のご飯に戻ることにより、おねばに含まれるおいしさの成分がご飯に与えられて、つやや粘りのあるおいしいご飯を炊くことができる。
【００２６】
このように、本実施の形態１では、開閉弁２９の平面視における外径よりも小さい直径の小孔３１を有し、開閉弁２９を内釜２側から覆うフィルター３０を設けた。このため、フィルター３０に覆われることにより開閉弁２９が露出しないので、清掃時やご飯をよそうときなどに意図せず開閉弁２９が脱落するのを抑制できる。また、小孔３１は開閉弁２９の平面視における外径よりも小さい直径であるので、小孔３１を通って開閉弁２９が脱落することもない。また、フィルター３０には複数の小孔３１が設けられているので、仮に米粒等が貼り付いていずれかの小孔３１が閉塞されたとしても、他の小孔３１からおねばを落下させることができおねばの落下を妨げることもない。
【００２７】
また、フィルター３０は、内釜２内で発生したおねばを含む蒸気を蒸気口ユニット２０の内部に導く導入孔２２ａをも覆うように構成し、導入孔２２ａの下側には第１小孔３１ａよりも直径が小さい第２小孔３１ｂを設けた。このため、導入孔２２ａ内に米粒や炊き込みご飯の具材、雑穀等が侵入するのを抑制することができる。導入孔２２ａ内に米粒等が侵入して詰まると、内釜２内の圧力が高まりすぎるおそれがあるが、本実施の形態１によればそのようなことを回避できる。
【００２８】
また、導入孔２２ａとおねば戻し穴２８が設けられた導入孔形成部１３とフィルター３０の上面との間に形成される空間を、導入孔２２ａ側とおねば戻し穴２８側とに仕切る仕切板２６を設けた。このため、第２小孔３１ｂよりも直径の大きい第１小孔３１ａからフィルター３０内に米粒等が侵入したとしても、仕切板２６に阻止されて導入孔２２ａ内にその米粒等が侵入するのを抑制できる。
【００２９】
また、仕切板２６の下端部とフィルター３０の上面との隙間を、第２小孔３１ｂの直径よりも小さくしたので、米粒等が導入孔２２ａ内に侵入するのをさらに抑制できる。また、仕切板２６の下端部とフィルター３０の上面との間に隙間を設けることにより、導入孔２２ａ側とおねば戻し穴２８側とで蒸気等の流通が可能である。このため、仮に第２小孔３１ｂが米粒等により閉塞された場合でも、第１小孔３１ａから侵入した蒸気が隙間を通って導入孔２２ａに入ることができるので、蒸気の排出口が確保でき、内釜２内の内圧が高まりすぎるのを抑制できる。
【００３０】
また、仕切板２６は、導入孔２２ａ側よりもおねば戻し穴２８側の空間の方が面積が広くなるよう仕切っているので、おねば戻し穴２８から落下したおねばを、効率よく内釜２内へ戻すことができる。
【００３１】
また、フィルター３０を着脱自在に設けたので、フィルター３０を取り付けた状態においては開閉弁２９が落下するのを防止しつつも、フィルター３０を取り外すことで容易に清掃できる。
【００３２】
また、第１小孔３１ａを、フィルター３０の平面視において上下方向及び左右方向に対して線対称に設けたので、フィルター３０を１８０度回転させても、フィルター３０を同じように取り付けることができる。このため、フィルター３０の向きを気にすることなくフィルター３０の取り付けが行え、ユーザの利便性を向上させることができる。
【００３３】
実施の形態２．
本実施の形態２では、前述の実施の形態１との相違点を中心に説明する。
図８は、実施の形態２に係るフィルター３０の小孔３１の断面模式図である。本実施の形態２では、小孔３１の上面側（開閉弁２９に面する側）周縁部を面取りしている。図８（ａ）は、小孔３１の上面側周縁部の稜線をＣ面にして面取り部３４ａを設けた例を、図８（ｂ）は、小孔３１の上面側周縁部の稜線をＲ面にして面取り部３４ｂを設けた例（丸面取り）をそれぞれ示している。小孔３１の上面側周縁部を面取りすることにより、おねば戻し穴２８を通ってフィルター３０内（底部３０ａの上面側）に落下したおねばは、小孔３１の中へ流れやすくなる。このため、内釜２内へ速やかにおねばを戻すことができる。
【００３４】
実施の形態３．
実施の形態３では、前述の実施の形態１との相違点を中心に説明する。
図９は、実施の形態３に係るフィルター３０Ａを説明する縦断面図である。本実施の形態３では、フィルター３０Ａの底部３０ａＡは、内釜２の方向に向かって突出するすり鉢形状に構成されており、外周側から中央に向かって下降する傾斜面となっている。また、これに伴い、仕切板２６Ａの高さを実施の形態１のものよりも高くしている。フィルター３０Ａの底部３０ａＡを、内釜２の方向に向かって突出するすり鉢形状とすることで、フィルター３０内（底部３０ａの上面側）に落下したおねばは、底部３０ａＡが傾斜していることにより底部３０ａＡの中央に向かって流れ、小孔３１から内釜２内へと落下する。微量のおねばも、底部３０ａＡの中央に向かって流れて集まることで、小孔３１から落下しやすくなり、おねばを効率よく内釜２へ戻すことができる。
【００３５】
なお、図９ではフィルター３０Ａの底部３０ａＡが断面円弧状である例を示したが、断面形状を例えば断面Ｖ字状や台形状にしてもよい。いずれにしても、底部３０ａＡに傾斜を設けることで、同様の効果を得ることができる。
また、実施の形態２と実施の形態３を組み合わせてもよく、同様の効果が得られる。
【符号の説明】
【００３６】
１  炊飯器本体、２  内釜、２ａ  フランジ、３  加熱手段、１０  蓋体、１１  内蓋本体、１２  固定枠、１３  導入孔形成部、１４  位置決めマーク、２０  蒸気口ユニット、２１  溜まり凹部、２２  案内筒、２２ａ  導入孔、２２ｂ  排出孔、２３  流路、２４  蒸気排出口、２４ａ  蒸気排出筒、２５  排出口、２６  仕切板、２６Ａ  仕切板、２７  外部排出口、２８  おねば戻し穴、２８ａ  開口部、２８ｂ  切欠部、２９  開閉弁、２９ａ  頭部、２９ｂ  柱部、２９ｃ  基板、３０  フィルター、３０Ａ  フィルター、３０ａ  底部、３０ａＡ  底部、３０ｂ  周壁、３１  小孔、３１ａ  第１小孔、３１ｂ  第２小孔、３２  突起部、３３  位置決めマーク、３４ａ  面取り部、３４ｂ  面取り部、Ｓ  隙間。
【図１】
0005538088.tif 000002
【図２】
0005538088.tif 000003
【図３】
0005538088.tif 000004
【図４】
0005538088.tif 000005
【図５】
0005538088.tif 000006
【図６】
0005538088.tif 000007
【図７】
0005538088.tif 000008
【図８】
0005538088.tif 000009
【図９】
0005538088.tif 000010